(57)【要約】【課題】医師及び患者の双方にとって効率的かつ確実な診療行為を可能にする。【解決手段】デジタルペンシステム１７で入力された手書き文字を医師端末１の表示装置１３にリアルタイム表示し、記入された文字情報をイメージデータとして、さらにはＰＤＦファイルとして医療情報管理サーバ２の診療録情報データベース２１に格納する。関連部門端末３では、格納されたイメージデータを医療情報管理サーバ２へ問い合わせることにより取得し、表示装置３３に表示させる。看護婦等の関連部門では患者への作業を行い作業が実施済であることを示す実施記録が生成され、医療情報管理サーバ２を介して医師端末１に送信され、かつ表示される。医師は、この実施記録の表示により作業が終了したことを即確認することができる。【選択図】    図５
2004192332.tif 000002
【特許請求の範囲】
【請求項１】
ペン先端部に位置情報を発信する発信機を備えたデジタルペン本体と、前記発信機からの位置情報を検出する受信機を備え、前記デジタルペン本体により書き込まれる診療録用紙を固定するベースユニットと、前記ベースユニットで検出された位置情報を医師端末に伝送する伝送媒体とを具備し、
前記医師端末は、前記一情報に基づき前記デジタルペン本体により前記診療録用紙に書き込まれた文字情報をイメージとして有するイメージデータを生成する手書情報読取手段と、前記イメージデータを電子カルテ識別番号に関連づけて通信ネットワークを介して医療情報管理サーバに送信する医療情報処理手段とを具備し、
前記医療情報管理サーバは、
前記医師端末から送信されたイメージデータを前記電子カルテ識別番号に関連づけて格納するとともに、該イメージデータの問い合わせに応答して関連部門端末に該イメージデータを送信し、かつ前記イメージデータに電子署名を付加して診療録データベースに格納し、
前記関連部門端末は、前記医療情報管理サーバから受信したイメージデータを表示装置に表示する送受信データ管理手段と、患者に対する作業を実施したことを示す実施記録を入力する入力装置、前記入力された実施記録を前記医療情報管理サーバに送信し、
前記医療情報管理サーバは、前記実施記録を格納するとともに、該実施記録の前記医師端末からの問い合わせに応答して前記医師端末に実施記録を送信し、該医師端末の表示装置に表示させる
ことを特徴とする医療情報伝達システム。
【発明の詳細な説明】
【０００１】
【発明の属する技術分野】
本発明は、医師により患者を診療する現場などで診療録などの医療情報を伝達するのに用いられる医療情報伝達システムに関する。
【０００２】
【従来の技術】
従来、医師により作成される患者の診療録であるカルテは、手書きによる記入が主であった。コンピュータの発達に伴い、コンピュータ端末を用いたキーボードやマウスによる入力データを電子カルテとして利用する動きが予想される（特許文献１参照）。
【０００３】
【特許文献１】
特開２０００−３４８１１５号公報
【０００４】
【発明が解決しようとする課題】
しかしながら、コンピュータ端末を用いた入力による場合、医師が端末に相対することが必要となり、患者と相対して患者から得られる情報量が少なくなる。
【０００５】
本発明は上記課題を解決するためになされたもので、その目的とするところは、医師及び患者の双方にとって効率的かつ確実な診療行為を可能にする医療情報伝達システムを提供することにある。
【０００６】
【課題を解決するための手段】
この発明の一の観点によれば、ペン先端部に位置情報を発信する発信機を備えたデジタルペン本体と、前記発信機からの位置情報を検出する受信機を備え、前記デジタルペン本体により書き込まれる診療録用紙を固定するベースユニットと、前記ベースユニットで検出された位置情報を医師端末に伝送する伝送媒体とを具備し、前記医師端末は、前記一情報に基づき前記デジタルペン本体により前記診療録用紙に書き込まれた文字情報をイメージとして有するイメージデータを生成する手書情報読取手段と、前記イメージデータを電子カルテ識別番号に関連づけて通信ネットワークを介して医療情報管理サーバに送信する医療情報処理手段とを具備し、前記医療情報管理サーバは、前記医師端末から送信されたイメージデータを前記電子カルテ識別番号に関連づけて格納するとともに、該イメージデータの問い合わせに応答して関連部門端末に該イメージデータを送信し、かつ前記イメージデータに電子署名を付加して診療録データベースに格納し、前記関連部門端末は、前記医療情報管理サーバから受信したイメージデータを表示装置に表示する送受信データ管理手段と、患者に対する作業を実施したことを示す実施記録を入力する入力装置、前記入力された実施記録を前記医療情報管理サーバに送信し、前記医療情報管理サーバは、前記実施記録を格納するとともに、該実施記録の前記医師端末からの問い合わせに応答して前記医師端末に実施記録を送信し、該医師端末の表示装置に表示させることを特徴とする医療情報伝達システムが提供される。
【０００７】
また、システム（装置）に係る本発明は、その装置により実現される方法の発明としても成立する。
【０００８】
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラム、このプログラムを記録したコンピュータ読取り可能な記録媒体としても成立する。
【０００９】
【発明の実施の形態】
以下、図面を参照しながら本発明の実施形態を説明する。
【００１０】
図１は本発明の一実施形態に係る医療情報伝達システムの全体構成を示す図である。図１に示すように、医師端末１と、医療情報管理サーバ２と、関連部門端末３が通信ネットワーク４を介してデータを送受可能に接続されている。通信ネットワーク４は無線、有線の別を問わない。医療情報管理サーバ２には、診療録データベース（ＤＢ）２１及び指示管理データベース（ＤＢ）２２が接続されている。診療録情報データベース２１は、医師や関連部門担当者により手書きやデータ入力により得られたデータを電子カルテとして登録するためのデータベースで、例えばＣＤやＤＶＤなどの光ディスクや磁気ディスクなどの記録媒体と、その記録媒体に対するデータの読取／書込みを行う記録媒体読取／書込装置などにより構成される。さらに望ましくは、記録媒体は書込み後の書換ができない追記型光ディスクが望ましい。これにより、診療録の改ざんを防止するとともに、診療録を半永久的に保存することができる。
【００１１】
医師端末１の詳細な構成の一例を図２に示す。図２に示すように、通信インタフェース１１と、この通信インタフェース１１に接続されたプロセッサ１２と、プロセッサ１２に接続された表示装置１３，入力装置１４，記憶装置１５及び印刷装置１８からなる。プロセッサ１２には、外部入力端子１６が接続されている。この外部入力端子１６には、信号線１７ｄを介してデジタルペンシステム１７に接続されている。デジタルペンシステム１７は、デジタルペン本体１７ａと、このデジタルペン本体１７ａの先端部に設けられた超音波発信機１７ｂと、信号線１７ｄを介してプロセッサ１２に接続されるベースユニット１７ｃからなる。
【００１２】
表示装置１３はディスプレイなどにより構成される。入力装置１４はキーボードやマウスなどにより構成される。印刷装置１８はプリンタにより構成される。
【００１３】
記憶装置１５には、プロセッサ１２を手書情報処理手段１２ａ、医療情報処理手段１２ｂとして機能させるための各種プログラムや、各種データ処理中あるいはその前後で発生する各種データを格納する。プロセッサ１２は、この記憶装置１５から手書情報処理プログラム、医療情報処理プログラムを読み取ることにより、手書情報処理手段１２ａ、医療情報処理手段１２ｂとして動作する。
【００１４】
手書情報処理手段１２ａは、デジタルペンシステム１７から入力された文字情報を解析してイメージデータを生成する手書情報の処理を実行する。生成されたイメージデータは、この手書情報処理手段１２ａにより表示装置１３に表示される。
【００１５】
医療情報処理手段１２ｂは、医療情報管理サーバ２、関連部門端末３との間で送受信されるデータに関する各種管理処理を実行する。
【００１６】
デジタルペンシステム１７は、医師が手書きにより記入した文字情報をプロセッサ１２に送信し、医師端末１の表示装置１３に表示させることのできる装置である。具体的には、診療録記録紙１７ｆをベースユニット１７ｃに固定する。診療録記録紙１７ｆはいかなる用紙を用いることもできるが、ベースユニット１７ｃの例えばクリップ式の挟み込み固定位置に対して用紙の角度が一定となるように変形しない台紙などとともにベースユニット１７ｃに固定するのが望ましい。超音波発信機１７ｂ付のデジタルペン本体１７ａにより、診療録記録紙１７ｆに診療情報を手書きにより書き込む。ベースユニット１７ｃには超音波受信機が設けられている。この超音波受信機は、デジタルペン本体１７ａに設けられた超音波発信機１７ｂからの超音波１７ｅを受信し、超音波発信機１７ｂの位置を例えば角度及び距離などにより解析する。得られた位置データは信号線１７ｄを介してプロセッサ１２に出力される。プロセッサ１２では、入力された位置データに基づき手書情報処理手段１２ａにより位置データに基づき入力情報を解析し、イメージデータを生成する。以上がデジタルペンシステム１７による自動イメージ生成機能である。
【００１７】
図４は関連部門端末３の詳細な構成の一例を示す図である。図４に示すように、通信インタフェース３１と、この通信インタフェース３１に接続されたプロセッサ３２と、このプロセッサ３２に接続された表示装置３３，入力装置３４，記憶装置３５及び印刷装置３６からなる。表示装置３３はディスプレイなどにより構成される。入力装置３４はキーボードやマウスなどにより構成される。
【００１８】
記憶装置３５には、プロセッサ３２を医療情報管理手段３２ａ、実施記録管理手段３２ｂとして機能させるための各種プログラムや、各種データ処理中あるいはその前後で発生する各種データを格納する。プロセッサ３２は、この記憶装置３５から医療情報管理プログラム、実施記録管理プログラムを読み取ることにより、医療情報管理手段３２ａ、実施記録管理手段３２ｂとして動作する。
【００１９】
医療情報管理手段３２ａは、医師端末１から医療情報管理サーバ２を送受信されるデータに関する各種管理処理を実行する。
【００２０】
実施記録管理手段３２ｂは、関連部門端末３で表示した診療録の表示内容に基づき関連部門側で作業を行いその作業が終了し実施済であることを示す実施記録を登録するための処理を実行する。
【００２１】
次に、上記医療情報伝達システムを用いた動作の一例を図５のシーケンス図に沿って説明する。
【００２２】
医師端末１を起動し、デジタルペンシステム１７の電源をオンにする。そして、手書情報処理プログラムを読み出し、プロセッサ１２を手書情報処理手段１２ａとして機能させる。
【００２３】
患者を問診する際に、まずベースユニット１７ｃに台紙とともに診療録記録紙１７ｆを固定させる。そして、デジタルペン本体１７ａにより診療録を手書きにより診療録記録紙１７ｆに記入する（ｓ１）。この手書き記入の際、デジタルペン本体１７ａに取り付けられた超音波発信機１７ｂから超音波が発信される。ベースユニット１７ｃに設けられた超音波受信機は、この超音波を受信する。そして、受信超音波から超音波発信機１７ｂの位置情報を例えば角度及び距離により解析する。解析された位置データは信号線１７ｄを介してプロセッサ１２に出力される（ｓ２）。
【００２４】
手書情報処理手段１２ａは、受信した位置情報に基づき例えばＪＰＥＧ形式のイメージデータを生成する。生成されたイメージデータは、表示装置１３にイメージとして表示される（ｓ３）。図６は診療録記入時の表示装置１３の表示画面の一例を示す図である。図６に示すように、医師により手書きで記入された診療録がイメージとしてリアルタイムで医師端末１の表示装置１３に表示される。
【００２５】
次に、医師は、入力装置１４を用いて診療録の手書き記入作業の終了を示す手書き記入終了データを入力する（ｓ４、ｓ５）。入力された記入終了データはプロセッサ１２に出力される。具体的には、例えばマウスなどを用いて表示装置１３の表示画面上で所定のボタンなどを指定することで手書き記入終了データの入力が実行される。図６の例では、６１で示されるオブジェクトを入力装置１４を用いて選択することにより手書き記入終了データの入力がなされる。手書き記入終了データには、この診療録を電子カルテとして保存する際の識別情報としての電子カルテ識別番号と、診療録を記入した医師を識別するための医師識別番号が自動的に関連づけられる。電子カルテ識別番号は、手書き記入作業がされる毎に配番される番号としてもよいし、日付や時刻に基づき配番される番号でもよい。医師識別番号は、例えば医師端末１にアクセスする際のＩＤやパスワードに基づき、これらＩＤやパスワードに予め関連づけられてデータベース化されていた識別番号などを用いればよい。手書情報処理手段１２ａは、手書き記入終了データを取得すると、医療情報処理手段１２ｂに手書イメージデータに基づく電子カルテの生成や関連部門への通知等の処理を指示する（ｓ６）。この指示を受け、医療情報処理手段１２ｂは、手書イメージデータを所定のデータ形式の画像ファイルに変換した後その画像ファイルに電子署名を付加する（ｓ７）。その後、医療情報処理手段１２ｂは、この電子署名付のイメージデータと電子署名を付加していないイメージデータを医療情報管理サーバ２に送信する（ｓ８）。医療情報管理サーバ２は、受信したイメージデータを電子カルテとして保存管理すべく、診療録情報データベース２１に格納する。電子署名付、署名無しのイメージデータには、医師識別番号と電子カルテ識別番号が関連づけられる。これにより、医師識別番号や電子カルテ識別番号により検索することが可能となる。この格納処理は、複数の診療録電子データを受け取ったタイミングで一括して実行してもよい。
【００２６】
また、医療情報処理手段１２ｂは、イメージデータの宛先として、関連通知先情報をイメージデータとともに医療情報管理サーバ２に送信する（ｓ９）。医療情報管理サーバ２は、この関連通知先情報を指示管理データベース２２に格納する。この関連通知先情報は、医師識別番号や電子カルテ識別番号に関連づけられて指示管理情報として格納される。
【００２７】
一方、関連部門端末３は、定期的に（例えば数秒毎や数分毎）医療情報管理サーバ２の指示管理データベース２２に問い合わせを行い、その関連部門宛の指示があるか否かを確認する。この問い合わせに応答して、医療情報管理サーバ２は問い合わせ元の関連部門の識別情報を参照し、指示管理データベース２２を検索する。関連通知先情報がその関連部門の識別情報に一致する場合、その関連部門への指示があると判定し、指示着信通知を関連部門端末３に送信する（ｓ１０）。関連部門端末３の医療情報管理手段３２ａは、指示着信通知を受けると指示着信があったことを示すデータを表示装置３３に表示し、関連部門担当者に指示着信を報知する（ｓ１１）。関連部門担当者は、この指示着信表示に基づき入力装置３４を操作するなどして指示内容取得指示入力を行う（ｓ１２）。その指示内容取得指示は、関連部門端末３から医療情報管理サーバ２に送信される（ｓ１３）。医療情報管理サーバ２は、指示内容取得指示に基づき、対応する指示管理情報を指示管理データベース２２から検索する（ｓ１４）。そして、検索された指示管理情報に含まれる電子カルテ識別番号に基づき診療録情報データベース２１に検索指示を行う（ｓ１５）。診療録情報データベース２１からは、その電子カルテ識別番号が関連づけられたイメージデータが読み出され、指示管理情報に関連づけられる（ｓ１６）。そして、このイメージデータは指示管理情報とともに関連部門端末３に送信される（ｓ１７）。関連部門端末３は、受信したイメージデータを表示装置３３に表示させる（ｓ１８）。このイメージデータの表示を関連部門担当者が見て（ｓ１９）、その指示に基づく必要な処置やサービスを実施する（ｓ２０）。必要な処置やサービスは、関連部門が看護部門であれば例えば点滴、介助など、患者を看護する行為が該当する。また、関連部門が会計部門であれば、例えばその診療に対応する診療会計処理などが該当する。
【００２８】
関連部門担当者は、必要な処置やサービスが終了すると、その処置やサービスの実施内容を電子カルテに登録すべく、実施記録登録処理を行う（ｓ２１）。この実施記録登録処理は、例えばイメージデータの表示の際、このイメージデータの表示ウィンドウとともに実施記録入力ウィンドウを表示させ、そのウィンドウに表示される指示に従った関連部門担当者による入力処理により実行される。この実施記録入力ウィンドウを作業の種別に応じて類型化しておおくことにより、規定のフォーマットに従った入力を行うことで入力作業の効率化を図ることが出来る。この場合、関連部門端末３側の看護婦などの担当者は、イメージデータの表示に基づき類型化された入力画面のうちのいずれかを選択指定する入力装置３４を用いた入力が必要となる。類型としては、例えば患者からの臨床検査値を得る作業、患者に対して薬剤を投与する作業などが該当する。
【００２９】
図７は実施記録入力画面の一例を示す。図７は、患者の体温などのデータを得る作業の入力画面の一例である。関連部門の例えば看護婦などの担当者は、イメージデータとして表示された診療録に記載された指示に基づき、患者に対して、あるいは患者とは別の場所で指定された作業を実施し、その実施内容を実施記録として入力装置３４を用いて入力する。実施記録としては、例えば患者から得た体温などの実績値や、その他患者の症状、投与した薬剤の種類や量などが該当する。また、これら実施記録には、通知先の医師の情報が関連づけられる。この通知先の医師に関する情報は、指示元の医師に自動的に通知を行う処理の場合には指示管理情報に含まれる医師識別番号を自動的に関連づけてもよいし、指示元の医師とは別の医師へ通知を行う処理の場合は関連部門担当者により入力された情報を用いてもよい。
【００３０】
関連部門端末３は、入力された実施記録に基づき実施登録処理の要求を医療情報管理サーバ２の診療録情報データベース２１に行う（ｓ２２ａ）とともに、指示管理データベース２２に通知先医師情報を送信する（ｓ２２ｂ）。医療情報管理サーバ２は、この実施登録処理要求を受け、受診した実施記録データをその実施記録データに関連づけられた医師識別番号や電子カルテ識別番号に関連づけて診療録情報データベース２１に格納する。これにより、電子カルテ識別番号をキーとして、実施記録データやイメージデータなど、電子カルテとして保存すべきデータが関連づけられていく。従って、その電子カルテに対応する各種情報の検索が可能となる。また、医療情報管理サーバ２は、受診した通知先医師情報を医師識別番号や電子カルテ識別番号に関連づけて指示管理データベース２２に格納する。
【００３１】
一方、医師端末１は、医療情報管理サーバ２に対して定期的に（例えば数秒毎、数分毎）指示管理データベース２２の検索を行い、その医師宛の実施通知があるか否かを確認する。この検索は、医師端末１から送信される医師識別番号に基づいて処理される。この検索により、その医師識別番号に対応付けられた実施医師識別情報が指示管理データベース２２に関連づけられている場合、医療情報管理サーバ２は実施通知を医師端末１に行う（ｓ２３）。医師端末１の医療情報処理手段１２ｂは、この実施通知を表示装置１３に表示させ、医師に実施の通知を報知する（ｓ２４）。医師は、この実施通知を受け、入力装置１４を用いて記録内容取込指示を行う（ｓ２５）。この記録内容取込指示は、医療情報管理サーバ２に送信される。医療情報管理サーバ２は、指示管理データベース２２を検索し（ｓ２６）、その記録内容取込指示の対象とする指示管理情報を読み出す。そして、その指示管理情報に関連づけられる電子カルテ識別番号を読み出し、診療録情報データベース２１に実施記録内容取得要求を行う（ｓ２７）。この実施記録内容取得要求を受け、医療情報管理サーバ２は診療録情報データベース２１から実施記録を読み出し（ｓ２８）、医師端末１に送信する（ｓ２９）。医師端末１の医療情報処理手段１２ｂは、その実施記録を表示装置１３に表示させる（ｓ３０）。医師は、その表示装置１３の表示内容を確認し（ｓ３１）、医師の指示に基づく処置やサービスが適切に実施されたか、またその処置やサービスの実施の結果を確認する。
【００３２】
さらに医師は、この表示内容の確認の後、承認した旨を示す承認済データを入力してもよい。入力は、入力装置１４を用いて例えば画面に表示された入力ボタンを指定することで行えばよい。医師端末１の医療情報処理手段１２ｂは、入力された承認済データを医療情報管理サーバ２に送信する。医療情報管理サーバ２は、受信した承認済データを例えば診療録情報データベース２１に格納する。以上により一連の医療情報伝達動作が終了する。
【００３３】
以上に示した診療録の生成、実施記録の入力、承認作業の後、記録された過去の診療録を取り出したい場合には、医師端末１や関連部門端末３から医療情報管理サーバ２に問い合わせを行う。この問い合わせは、電子カルテ識別番号等に基づいて検索する。この問い合わせに応答して医師端末１は記録媒体から署名付画像データを記録媒体読取／書取装置を用いて読み出し表示装置に表示させる。これにより、過去の診療録を容易に確認することができる。ファイルには電子署名が付加され、また追記式の記録媒体に書き込まれている場合には書換ができないため、改ざんのされていない診療録を確認することができる。
【００３４】
このように本実施形態によれば、医師は医師端末１に相対することなくこれまでと同様に診療録を記録しながら患者を問診することができる。そして、患者に対する問診が終わったところで入力装置１４を用いて電子カルテを手書きで生成する。この電子カルテの生成も、記入が終了したことを示す旨の入力を例えば１クリックするだけでできるので、手間がかからず簡便に行える。また、関連部門には自動的に診療録を記録したイメージデータが電子メールのような形式で送信され端末に表示されるため、医師による診療録の記入から時間差なく診療録に記入された内容に基づく作業を行うことができる。
【００３５】
また、診療録は、関連部門端末３に送信される電子メールのような形式の通知以外にも、電子署名が付加された上で記録されるので、診療録の改ざんを防止し、かつ診療録を半永久的に保存することが自動で容易に行える。
【００３６】
本発明は上記実施形態に限定されるものではない。
【００３７】
関連部門端末３では入力装置３４を用いて実施記録を入力する例として説明したが、これに限定されない。例えば医師端末１に設けられたデジタルペンシステム１７と同様のデジタルペンシステムを関連部門端末３側にも接続してもよい。これにより、関連部門端末３側でも医師と同様にデジタルペンによる入力でリアルタイムに実施記録を入力することができる。
【００３８】
また、医師のみならず、歯科医師なども利用可能であることはもちろんである。その他、顧客と相対して相談に応じるサービス業であれば、いかなる業種にも適用可能である。
【００３９】
また、プロセッサ１２，３２は本発明の機能を実行するためのプログラムを記憶装置１５，３５から読み出し実行する場合を示したが、例えばこれらプログラムを記録したコンピュータ読取可能な記録媒体を端末に備え付けの記録媒体読取装置から読み取り、プロセッサ１２，３２に当該機能を実行させてもよい。
【００４０】
また、医療情報管理サーバ２と医師端末１や関連部門端末３との情報の送受信、デジタルペンシステム１７と医師端末１との文字情報の送受信は無線通信でも有線通信でもよい。特に医療情報管理サーバ２と端末１や３との間の通信を無線で行う場合、医療情報管理サーバ２を経由せずに直接各種通知の送受信を行ってもよい。また、データの送受信は電子メールのような形式の各種通知に限らず、他のデータ形式に基づいてもよい。
【００４１】
また、図５では１の関連部門のみが関係する例として示したがこれに限定されない。診療録電子メールがある関連部門端末３で処理され実施記録が生成され、また別の関連部門端末３でこの実施記録に基づき別の作業を実施し、更に別の実施記録を生成するというように、実施記録の生成作業を繰り返し行ってもよい。これにより、複数の工程からなる作業を自動で行うことができる。また、この場合も、単一の電子カルテ識別番号を関連づけて管理することにより、１つの電子カルテに関連する実施記録を対応付けて管理することができる。
【００４２】
さらに、関連部門で行う作業は実施記録の登録に限られない。例えば、医師端末１からの診療録データに、関連部門で処理することにより与えられるデータに変更し、あるいはそのようなデータを追加し、さらには診療録データのうち不要なデータなどを削除する処理を行うようにしてもよい。具体的には例えば、レセプト発行処理などの経理・会計処理を関連部門で実行する場合、関連部門端末３側ではレセプトに関するデータを追加する処理を行い、このようなデータを上記実施記録に代えて医療情報管理サーバ２を介して医師端末１側に送信されるようにすることもできる。
【００４３】
また、デジタルペンシステム１７の構成は上記実施形態に示したものに限定されない。例えば超音波ではなく光信号や赤外線信号などを用いた送受信機を用いてもよいし、送受信される信号の解析をデジタルペンシステム１７側で行ってもプロセッサ１２側で行ってもよい。手書き文字をイメージデータに変換できる機能を有しているデジタルペンシステムであればよい。
【００４４】
【発明の効果】
以上詳述したように本発明によれば、医師及び患者の双方にとって効率的かつ確実な診療行為が可能となる。
【図面の簡単な説明】
【図１】本発明の第１実施形態に係る医療情報伝達システムの全体構成を示す図。
【図２】同実施形態に係る医師端末の詳細な構成の一例を示す図。
【図３】同実施形態に係るデジタルペンシステムの全体構成を示す図。
【図４】同実施形態に係る関連部門端末の詳細な構成の一例を示す図。
【図５】同実施形態に係る医療情報伝達システムを用いた動作の一例のシーケンス図。
【図６】同実施形態に係る診療録記入時の表示装置の表示画面の一例を示す図。
【図７】同実施形態に係る実施記録入力画面の一例を示す図。
【符号の説明】
１…医師端末
２…医療情報管理サーバ
３…関連部門端末
４…通信ネットワーク
１，３１…通信インタフェース
１２，３２…プロセッサ
１３，３３…表示装置
１４，３４…入力装置
１５，３５…記憶装置
１６…外部入力端子
１７…デジタルペンシステム
１７ａ…デジタルペン本体
１７ｂ…超音波発信機
１７ｃ…ベースユニット
１７ｄ…信号線
１７ｅ…超音波
１７ｆ…診療録記録紙
１８…印刷装置
２１…診療録データベース
２２…指示管理データベース
３６…印刷装置
【図１】
2004192332.tif 000003
【図２】
2004192332.tif 000004
【図３】
2004192332.tif 000005
【図４】
2004192332.tif 000006
【図５】
2004192332.tif 000007
【図６】
2004192332.tif 000008
【図７】
2004192332.tif 000009